(57)【特許請求の範囲】
【請求項１】
アルカリイオン水及び酸性イオン水を生成する電解槽と、前記電解槽に一端を接続され他端を原水管に接続される通水路と、前記通水路の通水状態を検知する流量センサと、前記電解槽に接続され生成されたアルカリ水を吐水する吐水管と、前記電解槽の酸性水を排水する排水管と、前記排水管に設けられた弁装置と、前記流量センサの信号によって前記弁装置を開閉する制御手段とを備え、前記吐水管の吐水口を前記排水管の吐水口よりも上方位置に設け、さらに、前記制御手段は、前記流量センサで前記通水路の止水を検知したとき前記弁装置を一定時間開放して、前記アルカリ水吐水部の残留水を前記酸性水の吐水口へ重力により排出し、前記吐水管の水位を前記排水管の吐水口よりも下方位置まで排出することを特徴とするビルトインアルカリイオン整水器。
【発明の詳細な説明】
【０００１】
【発明の属する技術分野】
本発明は、水道水等の原水を電気分解して、飲用、医療用に利用されるアルカリ水や化粧水、また殺菌洗浄水等に利用される酸性水を製造するビルトインアルカリ整水器に関するものである。
【０００２】
【従来の技術】
近年、連続電解方式のイオン水生成器として、ビルトインアルカリ整水器が普及している。このビルトインアルカリ整水器は、電解槽内で水道水等を電気分解して、陽極側に酸性水を生成し、陰極側にアルカリ水を生成するものである。
【０００３】
以下、従来の連続電解方式のビルトインアルカリ整水器について説明する。図４は従来のビルトインアルカリ整水器の概略構造図、図５は図４のビルトインアルカリ整水器の制御ブロック図、図６は同ビルトインアルカリ整水器の概略制御フロー図である。
【０００４】
図４において、１は水道水等の原水管、２は水栓、３は水栓２を介して原水管１と接続されたビルトインアルカリ整水器本体である。４は浄水部で、内部に原水中の残留塩素を吸着する活性炭及び一般細菌や不純物を取り除く中空糸膜等を備えている。５は通水を確認し後述する制御手段に制御指示する流量センサ、６は流量センサ５を経由してきた水を電気分解する電解槽、７は電解槽６を２分し電極室を形成する隔膜、８，９は隔膜７で２分されて形成された各電極室に配置された電極板である。１０は電極板９側の水を通水する通水管、１１は電極板８側の水を吐水する吐水管、１２は通水管１０に酸性水が流れてきたとき、後述する酸性水管に酸性水を流すための電磁弁（酸性水用）、１３は通水管１０に流れてきた酸性水を吐水する酸性水吐水管（排水用）である。また１４は電源投入用プラグ、１５は電源投入用プラグ１４からの交流電源を直流電源に変える電源部、１６はビルトインアルカリ整水器の動作を制御する制御手段、１７はビルトインアルカリ整水器の操作状態を表示する操作表示部を示す。
【０００５】
次に図５を参照して、上記ビルトインアルカリ整水器の制御ブロックについて説明する。１８は制御手段１６の後述する各制御部に動作指示を行うＭＰＵ（マイクロ・プロセッサ・ユニット）、１９は流量センサ５の信号をＭＰＵ１８に伝達する流量検知部、２０は操作表示部１７の操作内容をＭＰＵ１８に伝達し、ＭＰＵ１８の指示に従って操作表示部１７の表示を行う操作表示制御部、２１はＭＰＵ１８の指示に従って電極板８，９の極性及び電解の強さを制御する電解槽制御部、２２はＭＰＵ１８の指示に従って電磁弁１２（酸性水用）を制御し水の通水経路を切り換える電磁弁制御部、２３は電解槽制御部２１及び電磁弁制御部２２の制御時間を管理するＭＰＵ１８内にあるタイマーである。
【０００６】
次に、上記ビルトインアルカリ整水器の動作について、図４、図５及び図６の概略制御フローに基づいて説明する。
【０００７】
利用者が操作表示部１７によりアルカリ水の生成モードを設定する（ＳＴＥＰ１）と、利用者の設定内容及びビルトインアルカリ整水器の現在の動作状態が操作表示部１７に表示される（ＳＴＥＰ２）。次に利用者が水栓２を開くことにより、水栓２から通水された原水は、浄水部４で原水中の残留塩素の臭いや一般細菌等の不純物が取り除かれ、流量センサ５を通過し流量検知部１９により通水を検知される。ここで通水検知ありと通水検知なしに振り分けられる（ＳＴＥＰ３）。通水検知ありの場合、利用者が設定した生成モードに従って制御内容が振り分けられる（ＳＴＥＰ４）。
【０００８】
利用者がＳＴＥＰ１でアルカリ水生成モードに設定した場合は、電磁弁１２（酸性水用）が開き（ＳＴＥＰ５）、流量センサ５を通過した水は電解槽６に通水される。電解槽６に通水された水は、電解槽制御部２１により電極板８，９の極性と電解の強さが制御された電解槽６で電解される（ＳＴＥＰ６）。さらに電解槽６で生成されたアルカリ水は吐水管１１を経て吐水される。一方、電解槽６で生成された酸性水は電磁弁１２（酸性水用）、酸性水吐水管１３を経て排水される。
【０００９】
利用者がＳＴＥＰ１で浄水モードに設定した場合には、電磁弁１２（酸性水用）が閉じる（ＳＴＥＰ７）。電解槽６は電解槽制御部２１により電解を停止する（ＳＴＥＰ８）ため、電解槽６に通水された水は、そのまま吐水管１１を経て吐水される。一方、電磁弁１２（酸性水用）が閉じているため通水管１０の水は外部に放出されない。
【００１０】
利用者が水栓２を閉め、原水通水を停止した場合、流水センサ５の信号により流量検知部２３は通水していないと判断し（ＳＴＥＰ３）、次に電解槽６の洗浄の条件を満たし洗浄要求があるかどうか判定する（ＳＴＥＰ９）。洗浄要求がない場合、電磁弁１２（酸性水用）を閉じ（ＳＴＥＰ７）、電解槽６の電解は停止状態にする（ＳＴＥＰ８）。
【００１１】
また、ＳＴＥＰ９で洗浄要求がある場合、電磁弁１２（酸性水用）を閉じ（ＳＴＥＰ１０）、電解槽６は電解槽制御部２１により洗浄のための電解を開始する（ＳＴＥＰ１１）。洗浄のための電解時間はタイマー２３で管理する。洗浄のための電解とは、電極板８，９の極性を反転して電圧を印加するものであり、これにより電極板８，９に付着したカルシウム、マグネシウム等のスケールを電極板より分離し、次回吐水時に排出する。
【００１２】
【発明が解決しようとする課題】
このような従来のビルトインアルカリ整水器は、利用者が水栓２を閉めた後（洗浄中も含む）に吐水管内に水が残留するため、この残った水が吐水管から滴り落ちて利用者に不快感を与えるものであった。
【００１３】
そこで本発明は、利用者が水栓を閉めた後の吐水管出口からの水が滴らないビルトインアルカリ整水器を提供することを目的とする。
【００１４】
【課題を解決するための手段】
上記の課題を解決するために、本発明のビルトインアルカリ整水器は、流量センサで止水されたことを検知すると一定時間電解槽の水を排水する弁装置の制御部を備えたことを特徴とする。
【００１５】
この発明によれば、利用者が水栓を閉め止水した後、吐水管出口から水が滴らないようにすることができる。
【００１６】
【発明の実施の形態】
請求項１記載の発明は、アルカリイオン水及び酸性イオン水を生成する電解槽と、前記電解槽に一端を接続され他端を原水管に接続される通水路と、前記通水路の通水状態を検知する流量センサと、前記電解槽に接続され生成されたアルカリ水を吐水する吐水管と、前記電解槽の酸性水を排水する排水管と、前記排水管に設けられた弁装置と、前記流量センサの信号によって前記弁装置を開閉する制御手段とを備え、前記吐水管の吐水口を前記排水管の吐水口よりも上方位置に設け、さらに、前記制御手段は、前記流量センサで前記通水路の止水を検知したとき前記弁装置を一定時間開放して、前記アルカリ水吐水部の残留水を前記酸性水の吐水口へ重力により排出し、前記吐水管の水位を前記排水管の吐水口よりも下方位置まで排出することを特徴とするビルトインアルカリイオン整水器で、これによって、吐水口からの水の滴りを防止することができる。
【００１７】
以下、本発明の実施の形態について図面を参照しながら説明する。
【００１８】
図１は本発明の実施の形態におけるビルトインアルカリ整水器の概略構造図、図２は図１のビルトインアルカリ整水器の制御ブロック図、図３は同ビルトインアルカリ整水器の概略制御フロー図である。図１、図２、図３において、従来例のビルトインアルカリ整水器に対応する部材には同じ符号を付している。
【００１９】
図１において、１は水道水等の原水管、２は水栓、３はビルトインアルカリ整水器本体、４は浄水部、５は流量センサ、６は電解槽、７は隔膜、８，９は電極板、１０は通水管、１１は吐水管、１２は弁装置である電磁弁（酸性水用）、１３は酸性水吐水管（排水管）、１４は電源投入用プラグ、１５は電源部、２４は制御手段、１７は操作表示部である。電磁弁１２は吐水管１１から電解槽６および通水管１０を介して酸性水吐水管１３にかけて形成された流路に設けられている。ここで、図中に示す水位Ａは、利用者が水栓２で止水したとき、吐水管１３から水が滴らない水位を示す。
【００２０】
次いで図２を参照して、２５はＭＰＵ、１９は流量検知部、２０は操作表示制御部、２１は電解槽制御部、２２は電磁弁制御部、２３は電解槽制御部２１及び電磁弁制御部２２の制御時間を管理するＭＰＵ２５内にあるタイマーである。２６は流量センサ５の信号により流量検知部１９で止水を検知した時点で、電磁弁制御部２２に指令を出し、一定時間排水する電磁弁制御手段を示す。
【００２１】
次に上記ビルトインアルカリ整水器の動作について、図１、図２及び図３の概略制御フローに基づいて説明する。
【００２２】
利用者が操作表示部１７によりアルカリ水の生成モードを設定する（ＳＴＥＰ１）と、利用者の設定内容及びビルトインアルカリ整水器の現在の動作状態が操作表示部１７に表示される（ＳＴＥＰ２）。次に利用者が水栓２を開くと、水栓２から通水された原水は、浄水部４で原水中の残留塩素の臭いや一般細菌等の不純物が取り除かれ、流量センサ５を通過して流量検知部１９により通水を検知される。ここで通水検知ありと通水検知なしに振り分けられる（ＳＴＥＰ３）。通水検知ありの場合、止水時の排水のための排水要求を出し（ＳＴＥＰ１２）、利用者が設定した生成モードに従って制御内容を振り分ける（ＳＴＥＰ４）。通水検知ありの場合の動作は従来例と同様である。
【００２３】
利用者が水栓２を閉め、原水通水を停止した場合、流水センサ５の信号により流量検知部１９は通水していないと判断する（ＳＴＥＰ３）。ＳＴＥＰ１３で止水時の排水要求がある場合は、電磁弁制御手段２６により一定時間（本実施の形態では３〜５秒）電磁弁（酸性水用）１２を開き（ＳＴＥＰ１４）、図１に示すように、吐水管１１の残留水は通水管１０、電磁弁（酸性水用）１２、酸性水吐水管１３（排水管）を経て、重力により吐水管１１より低い位置に配された酸性水吐水管１３（排水管）の水位Ａまで排水される。
【００２４】
次に、吐水管１１の水位が水位Ａまで下がった時点で排水要求を解除し（ＳＴＥＰ１５）、電磁弁（酸性水用）１２を閉じる（ＳＴＥＰ７）。これによって、吐水管１１より水が滴り落ちることがなく、快適な使用が可能となる。なおＳＴＥＰ４〜ＳＴＥＰ１１の動作説明は従来例と同様であるため省略する。
【００２５】
【発明の効果】
以上のように、本発明のビルトインアルカリ整水器によれば、利用者が水栓を閉めた後、吐水管の出口からの水の滴り落ちを防止することができ、利用者に不快感を与えないビルトインアルカリ整水器を提供することができる。
【図面の簡単な説明】
【図１】  本発明の実施の形態におけるビルトインアルカリ整水器の概略構造図
【図２】  図１のビルトインアルカリ整水器の制御ブロック図
【図３】  図１のビルトインアルカリ整水器の概略制御フロー図
【図４】  従来のビルトインアルカリ整水器の概略構造図
【図５】  図４のビルトインアルカリ整水器の制御ブロック図
【図６】  図４のビルトインアルカリ整水器の概略制御フロー図
【符号の説明】
１  原水管
２  水栓
３  ビルトインアルカリ整水器本体
４  浄水部
５  流量センサ
６  電解槽
７  隔膜
８，９  電極板
１０  通水管
１１  吐水管
１２  電磁弁（酸性水用）
１３  酸性水吐水管（排水管）
１４  電源投入用プラグ
１５  電源部
１６  制御手段
１７  操作表示部
１８  ＭＰＵ（マイクロ・プロセッサ・ユニット）
１９  流量検知部
２０  操作表示制御部
２１  電解槽制御部
２２  電磁弁制御部
２３  タイマー
２４  制御手段
２５  ＭＰＵ（マイクロ・プロセッサ・ユニット）
２６  電磁弁制御手段
【図２】
0003843518.tif 000002
【図３】
0003843518.tif 000003
【図４】
0003843518.tif 000004
【図５】
0003843518.tif 000005
【図６】
0003843518.tif 000006
【図１】
0003843518.tif 000007